(57)【要約】【課題】利用者の体力に応じた歩行行動計画が容易に作成できる歩行管理システムを提供する。【解決手段】地形の等高線がディジタルデータで作成された地形図データ２と、入力手段６より入力された個人データと地形図データ２から読み出したディジタルデータから個人の体力に合った初速度、最高速度、最高持続時間を算出して複数の体力曲線イを作成すると共に、得られた体力曲線イから個人の体力に合った体力曲線イを随時選択して経路及び経過時間とともに表示手段７へ出力する制御手段１と、制御手段１が作成した体力曲線イに沿って行動した歩行行動を実績データとして個人毎に記憶、管理する行動実績管理手段５とからなり、経路の途中に設定された中間点や目的地までの到達時間が予測できるため、登山やハイキング、ジョギング等の歩行行動計画が容易に作成できる。【選択図】　　　　図１
2004101181.tif 000002
【特許請求の範囲】
【請求項１】
地形の等高線が３次元ディジタルデータで作成された地形図データと、入力手段より入力された個人データと前記地形図データから読み出したディジタルデータから個人の体力に合った初速度、最高速度、最高持続時間を算出して複数の体力曲線を作成し、メモリに記憶すると共に、得られた体力曲線から個人の体力に合った体力曲線を随時選択して経路及び経過時間とともに表示手段へ出力する制御手段と、前記制御手段が作成した体力曲線に沿って行動した歩行行動を実績データとして個人毎に記憶、管理する行動実績管理手段とを具備したことを特徴とする歩行管理システム。
【請求項２】
前記表示手段に地形図と出発地から目的地までの経路、経路上に設定した複数の中間点等を表示させ、かつ前記入力手段より個人データと出発時間を入力することにより、前記個人データから作成した体力曲線に応じて前記経路上の中間点及び目的地までの到達時間がシミュレートできるようにしてなる請求項１に記載の歩行管理システム。
【請求項３】
前記制御手段で作成した歩行行動計画を、ＰＤＡ等の携帯端末機器へダウンロードする出力手段を設けてなる請求項１または２に記載の歩行管理システム。
【発明の詳細な説明】
【０００１】
【発明の属する技術分野】
本発明は、主として登山やハイキング、ジョギング等の歩行行動を管理し、また歩行行動をシミュレートする歩行管理システムに関する。
【０００２】
【従来の技術】
一般に登山やハイキング、ジョギング等の体力を消耗する歩行を継続して行う場合は、歩行実行者の体力に応じた計画が重要である。
このため従来では、登山やハイキングへ行く場合、予め目的地の地図やガイドブック等の資料を用意して、これら資料を参考に行動計画を作成することが一般に行われている。
また行動計画には、目的地までの距離や歩行時間、休憩場所や休憩時間等を盛り込んだ行動（登山）計画表を作成し、この行動計画表に合わせて行動することが多い。
【０００３】
【発明が解決しようとする課題】
しかし地図やガイドブック等の資料より作成した行動計画表は、あくまでも一般的な人の体力から勘案したものであって、実際に登山やハイキングへ行く人の体力と必ずしも一致しないことが多い。
このため予め作成した行動計画表通りに登山やハイキングが実行できないばかりか、無理に行動計画表通りに行動した場合、体力を消耗して途中で動けなくなったたり、最悪の場合遭難する等の問題が生じる。
一方ジョギング等の歩行行動の場合は、体力に限界を感じた時点で何時でも歩行行動を中止することができるため、登山やハイキングほど危険を伴うことは少ないが、予め自己の体力に応じた運動量を把握して歩行行動を行うことができれば、ジョギングにより体調を損なうことがないため、健康管理の上でも得策である。
【０００４】
本発明はかかる事情に鑑みなされたもので、利用者の体力に応じた歩行行動をシミュレートしたり、行動計画が容易に作成できる歩行管理システムを提供して、登山やハイキング時の事故を未然に防止したり、体力に合わせたジョギング等が容易に実行できるようにすることを目的とするものである。
【０００５】
【課題を解決するための手段】
前記目的を達成するため本発明の歩行管理システムは、地形の等高線がディジタルデータで作成された地形図データと、入力手段より入力された個人データと前記地形図データから読み出したディジタルデータから個人の体力に合った初速度、最高速度、最高持続時間を算出して複数の体力曲線を作成し、メモリに記憶すると共に、得られた体力曲線から個人の体力に合った体力曲線を随時選択して経路及び経過時間とともに表示手段へ出力する制御手段と、制御手段が作成した体力曲線に沿って行動した歩行行動を実績データとして個人毎に記憶、管理する行動実績管理手段とから構成したものである。
【０００６】
前記構成により、予め入力した個人データに応じて作成した体力曲線や過去の実績データから、経路の途中に設定された中間点や目的地までの到達時間が予測できるため、登山やハイキング、ジョギング等の歩行行動計画が容易に作成できると共に、出発地から中間点、目的地にまで到着するまでに消費したカロリーを計算することができるため、負荷と消費カロリーの関係を予め条件常数として入力しておくことにより、糖や脂肪等の消費量を知ることもできる。
【０００７】
前記目的を達成するため本発明の歩行管理システムは、表示手段に地形図と出発地から目的地までの経路、経路上に設定した複数の中間点等を表示させ、かつ入力手段より個人データと出発時間を入力することにより、個人データから作成した体力曲線に応じて経路上の中間点及び目的地までの到達時間がシミュレートできるようにしたものである。
【０００８】
前記構成により、登山やハイキング等の前に目的地までの歩行行動をシミュレートすることにより、登山やハイキング等に必要な情報、例えば重装備では登りが厳しい等の情報が事前に得られると共に、シミュレートにより得られた情報を基に出発時間を決定したり、途中の休憩時間や休憩場所を決定する等、きめの細かい登山計画表の作成が可能になる。
【０００９】
前記目的を達成するため本発明の歩行管理システムは、制御手段で作成した歩行行動計画をＰＤＡ等の携帯端末機器へダウンロードする出力手段を設けたものである。
【００１０】
前記構成により、経路の中間点に到達する毎に時間をチェックして、到達予定時間と実際の到達時間にずれが生じた場合はその都度到達時間を修正して携帯端末機器に入力することにより、そのときの体力に合った体力曲線を選択し、これから到達する中間点及び目的地までの到達時間を予測計算して表示部に表示するため、登山当日の体調や天候等に即した歩行行動の管理が確実に行えるようになる。
また出発地から中間点や目的地に到着するまでに消費したカロリーを計算することができるため、予めカロリー消費量の限界を設定して限界を超えた場合は警報を出すようにすれば、体力を消耗したために動けなくなったり、遭難する等の事故を未然に防止できるようになる。
【００１１】
【発明の実施の形態】
本発明の実施の形態を、図面を参照して詳述する。
図１は歩行管理システムの概略構成を示すブロック図、図２以下は作用説明図である。
図１に示すシステム全体は、例えばパーソナルコンピュータ（パソコン）やワークステーション等のコンピュータより構成されており、システムで作成されたデータは、ＰＤＡ等の携帯端末機器９に出力して、登山やハイキング等の際に携帯できるようになっている。
システムに利用する地形図データは、本発明者が特願２００２−１１９５１３号で先に出願した「ディジタル地形図の作成方法」により作成されたディジタル地形図を使用するが、等高線がディジタル化された地形図であれば他のものを使用してもよい。
【００１２】
歩行者管理システムの制御手段１は、等高線が３次元でディジタル化された地形図データ２を読み出す読み出し手段３を有していて、読み出し手段３より読み出された地形図データ２は、制御手段１が後述する作用で各種のデータを作成する際の基本情報となる。
制御手段１は行動管理手段４と行動実績管理手段５より構成されており、入力側には利用者が個人のデータを入力するキーボード等の入力手段６が接続され、出力側には読み出し手段３より読み出された地形図データ２や、制御手段１により作成された各種データを可視像で表示する表示手段７や、各種データを携帯端末機器９へ出力する出力手段８が接続されている。
【００１３】
次に前記歩行管理システムの作用を、図２ないし図５に示す線図及び図６に示すフローチャートを参照して説明する。
人がある目的を持って歩行行動を行う場合、歩行速度と到達距離の関係は、一般に次式で表わすことができる。
【数１】
2004101181.tif 000003
なお、ｌ、Ｌは距離、ｔ、Ｔは時間
また体力は個人差があるものの、歩行を開始する速度、即ち初速度を個人毎にｖ１、ｖ２、ｖ３…ｖｎとした場合、図２に示すように初速度が速い人ほど早期に疲労するため歩行時間ｔは短くなるが、ある人が目的を持って歩行している状態の体力曲線イは、図３の太線で示す包絡線ロ内に内在し、これはどんな状態の時も成り立つことになる。
そこで制御手段１の行動管理手段４には、図４の（ａ）ないし（ｃ）に示すような予めパターン化された複数、例えば２０〜３０通りの体力曲線イのモデルがタイプＡ、Ｂ，Ｃ・・・として記憶されている。
これらモデルは、タイプＡ，Ｂ，Ｃ・・・別に複数、例えば２０本の体力曲線イにより作成されていて、入力手段６より入力された個人データから利用者の体力に合ったタイプＡ，Ｂ，Ｃ・・・の１つがモデルより次のように選択されるようになっている。
【００１４】
いま利用者が例えば登山を計画する場合、図６に示すフローチャートのステップＳ１で、個人名や男女の区分、運動の最大能力、最大持続時間等の個人データとともに、出発地や目的地までの経路、予定到達時間等の行動計画データを入力手段６から入力するが、これら個人データの入力を容易とするため表示手段７には、次のような質問形式の入力画面が表示される。
運動の最大能力や最大持続時間等の個人データを入力する画面として、例えば「あなたはどの位の初速で歩き始められますか？」や、「どの位の最高速度が出せますか？」、「最高速度をどの位持続できますか？」等の項目が表示されるので、それぞれの項目について入力する。
【００１５】
また個人データの他に、出発地や目的地、経路、出発時間、荷物の量（負荷）、過去の実績等の項目も表示されるので、入力画面に従ってそれぞれの項目についても入力する。
ステップＳ２で制御手段１は入力されたデータから、該当する地形図データ２を読み出し手段３により読み出すと同時に、ステップＳ３で入力された個人データのうち、過去の実績について行動実績管理手段５を参照して、入力された個人データに一致する過去の実績データがあるかを検索し、もしあればその実績データを呼び出してステップＳ５へ進み、ない場合はステップＳ４へ進んで、入力手段６より入力された個人データを基に行動管理手段４に記憶されている体力曲線のモデルの中から個人の体力に合ったタイプＡ，Ｂ，Ｃ・・・の１つを選択する。
【００１６】
またステップＳ５で制御手段１は、入力手段６より入力された行動計画データと読み出し手段３が読み出した地形図データ２及び行動実績管理手段５より呼び出した実績データ、またはステップＳ３で選択したタイプＡ，Ｂ，Ｃ・・・の１つの中から個人の体力に合った初速度ｖ１、ｖ２、ｖ３、ｖｎの何れかの体力曲線イを選択すると共に、選択した体力曲線イと、出発地から目的地までの距離Ｌから目的地に到達するまでの時間Ｔや、中間点の到達時間を算出する。
すなわち体力曲線イより得られる目的地までの距離をＬ、到達時間Ｔを図にすると図５に示すようになるが、これらの体力曲線イは、ｔの多項式で変化するものと考えられることから、
【数２】
2004101181.tif 000004
ここでａｉ（ｉ＝０、ｉ＝１、２、３…１６）は係数である。
また目的地までの距離Ｌは、
【数３】
2004101181.tif 000005
線形最小２乗法の特異値分解法を使用して係数ａｉの組を求めることにより多数の体力線群が得られるので、得られた体力線群を個人データとともに行動管理手段４のメモリに記憶する。
【００１７】
一方表示手段７にはステップ６で目的地に応じた地形図と、登りと下りが異なる色で表示された目的地までの経路及び距離Ｌ、予め指示した複数の中間点の到達時間、目的地の到達時間Ｔ及び目的地から出発地までの帰りの時間等が表示されるので、表示された内容をステップＳ７で紙等に出力することにより登山計画表として使用することができるが、表示画面上から登山のシミュレーションを選択することにより、利用者個人毎に実際の登山に即した歩行行動をシミュレートすることができる。
登山の歩行行動をシミュレートするに当たっては、前記方法で作成した登山計画表を基に実際の行動計画に沿って出発地の出発時間を入力手段６より入力すると、制御手段１は入力された時間と、登山計画作成時に選択された体力曲線のタイプＡ，Ｂ，Ｃ・・・の１つを用いて時間計測を開始し、時間の経過とともに表示手段７に表示された地形図の経路上に例えば赤色等で歩行行程を表示するが、この時の時間は、実際にかかる時間を数分の１から数十分の１に短縮して表示される。
その後地形図上に表示される経路が予め色分けされた急な登りにさしかかると、初めに設定された体力曲線イでは予定の時間内に中間点や目的地に到達できない場合が生じる。
【００１８】
しかし選択されたパターンＡ，Ｂ，Ｃ・・・には、体力に応じて例えば２０の体力曲線イが予め組みとして個人毎に記憶されているため、初めに選択された体力曲線イより算出した時間では中間点や目的地に到達できないと制御手段１が判断した場合は、次の体力曲線イを選択して、この体力曲線イにより中間点や目的地へ到達する時間を再度予測計算して表示手段７に表示する。
以下前記動作を繰り返して目的地までの歩行行動をシミュレートし、また目的地から出発地までの復路の歩行行動をもシミュレートすることができるため、このシミュレートにより得られた時間を基に出発時間を決定したり、途中の休憩時間や休憩場所を決定する等、きめの細かい登山計画表の作成が可能になる。
【００１９】
一方前述したように机上でシミュレートすることにより、より実際に近い登山計画表が得られるようになるが、実際の登山では机上でシミュレートした際の条件とは別に、登山当日の個人の体調や天候、荷物の量等が登山計画に大きく影響し、机上で作成した登山計画通りに歩行計画が実行できない場合が生じる。
そこで歩行管理システムで作成した登山計画を出力手段８からＰＤＡ等の携帯端末機器９へダウンロードして、登山計画自体を携帯端末機器９とともに登山時携帯することにより、机上でシミュレートしたときと同様に歩行管理が行える。
【００２０】
また携帯端末機器９に衛星を利用して自位置を検出するＧＰＳ測位システムが搭載されていれば、ＧＰＳ測位システムにより自位置を検出して携帯端末機器９の表示画面に自位置を表示させるようにしてもよい。
すなわち登山やハイキングの出発時に、携帯端末機器９の表示画面に目的地の地形図と経路及び自位置を表示させたら、携帯端末機器９に付属するペンで出発地にタッチする。
携帯端末機器９には予め時計機能が内蔵されているため、ペンで出発地をタッチすると出発地に現在の時間が表示されると同時に、登山計画表作成時に選択されたパターンＡ，Ｂ，Ｃ・・・の中の体力曲線イの１つより中間点や目的地までの時間が算出されて、中間点や目的地にそれぞれ表示される。
【００２１】
その後経路の中間点に到達する毎に時間をチェックして、到達予定時間と実際の到達時間にずれが生じた場合はその都度ペンで現在位置をタッチすることにより、ペンでタッチした現在位置に現在時間が自動的に入力されると同時に、携帯端末機器９は、現在時間が入力される毎にパターンＡ，Ｂ，Ｃ・・・の体力曲線イの中からそのときの体力に合った体力曲線イを選択し、選択した体力曲線イからこれから到達する中間点及び目的地までの到達時間を予測計算して携帯端末機器９の表示部に表示する。
以下前記操作を繰返すことにより、登山当日の個人の体調や天候、荷物の量等により登山計画に狂いが生じても、その都度修正された到達時間が表示されるため、登山当日の体調や天候等に即した歩行行動の管理が容易に行えるようになる。
また同時に現在どのような状態でどの距離をどのくらい時間をかけて歩行しているかを携帯端末機器９が常に把握して歩行を管理していることから、出発地から中間点や、目的地に到着するまでに消費したカロリーをリアルタイムで計算することができ、これによって負荷と消費カロリーの関係を予め条件常数として入力しておくことにより、糖や脂肪等の消費量を個別に計算して、携帯端末機器９の表示部に表示させることもできる。
【００２２】
以上は歩行管理システムで作成した登山計画を出力手段８からＰＤＡ等の携帯端末機器９へダウンロードして、登山計画自体を携帯端末機器９とともに登山時携帯する場合であるが、ジョギングやサイクリング等の行動管理にも同様に実施することができる。
ジョギングやサイクリング等のように平地を長距離走行する場合は、登山やハイキング等の場合と異なり、体調不良や気候が悪化した場合何時でも歩行行動を中止することができるため、登山やハイキング等に比べて危険が少ない半面、長期間繰り返し実行することから、自己の体力に応じた運動量を把握して歩行を管理すれば健康の増進にきわめて有益であるばかりか、マラソン選手や自転車競技選手のように健康管理と同時に持久力の向上を目的とする利用者には、きわめて有効である。
【００２３】
歩行管理システムの使用に当っては、登山やハイキングのときと同様、入力されたデータから、該当する地形図データ２を読み出し手段３により読み出すと同時に、入力された個人データを行動実績管理手段５に参照して、入力された個人データに一致する過去の実績データがあるかを検索し、もしあればその実績データを呼び出す。
また制御手段１は、入力手段６より入力された計画データと読み出し手段３が読み出した地形図データ２及び行動実績管理手段５より呼び出した実績データから初速度ｖ１、ｖ２、ｖ３、ｖｎを算出して、個人の体力に合った体力曲線イを選択すると共に、選択した体力曲線イと目的地までの距離Ｌから目的地に到達するまでの時間Ｔを算出する。
【００２４】
一方表示手段７には目的地に応じた地形図と、目的地までの経路及び距離Ｌ、予め指示した複数の中間点間の時間、目的地の到達時間Ｔ等が表示されるので、表示された内容を紙等に出力することによりジョギング計画表や、サイクリング計画表として使用することができるが、表示画面上からジョギングやサイクリングのシミュレーションを選択することにより、利用者個人毎に実際のジョギングやサイクリングに即した歩行行動をシミュレートすることができる。
例えばジョギングの歩行行動をシミュレートするに当たって、前記方法で作成したジョギング計画表を基に実際の行動計画に沿って出発地の出発時間を入力手段６より入力すると、制御手段１は入力された時間と、ジョギング計画作成時に選択された体力曲線のタイプＡ，Ｂ，Ｃ・・・の１つを用いて時間計測を開始し、時間の経過とともに表示手段７に表示された地形図の経路上に例えば赤色等で歩行行程を表示するが、この時の時間は、実際にかかる時間を数分の１から数十分の１に短縮して表示される。
【００２５】
また地形図の経路上に予め色分けされた急な坂等があると、初めに設定された体力曲線イでは予定の時間内に中間点や目的地に到達できない場合が生じる。
しかし選択されたパターンＡ，Ｂ，Ｃ・・・には、体力に応じて例えば２０の体力曲線イが予め組みとして個人毎に記憶されているため、初めの体力曲線イに沿った時間では中間点や目的地に到達できないと制御手段１が判断した場合は、次の体力曲線イを選択して、この体力曲線イにより中間点や目的地へ到達する時間を再度予測計算して表示手段７に表示すると共に、以下前記動作を繰り返すことによって目的地までジョギングする際の歩行行動をシミュレートすることができるようになる。
【００２６】
一方机上でシミュレートすることにより、より実際に近いジョギング計画やサイクリング計画が得られるようになるが、実際のジョギングやサイクリングでは机上でシミュレートした際の条件とは別に、ジョギング当日の個人の体調や天候等がジョギング計画やサイクリング計画に影響し、机上で作成したジョギング計画やサイクリング計画通りにジョギングやサイクリングが実行できない場合が生じる。
そこで歩行管理システムで作成したジョギング計画やサイクリング計画を出力手段８からＰＤＡ等の携帯端末機器９へダウンロードして、ジョギング計画やサイクリング計画自体を携帯端末機器９とともにジョギングやサイクリングする場所まで携帯したり、マラソンやロードレース等のようにコーチが伴走する場合は、コーチが携帯することにより、机上でシミュレートしたときと同様に歩行管理が行える。
【００２７】
すなわちジョギングやマラソン、サイクリングの出発時に、携帯端末機器９の表示画面に目的地の地形図と経路及び自位置を表示させたら、携帯端末機器９に付属するペンで出発地にタッチする。
携帯端末機器９には予め時計機能が内蔵されているため、ペンで出発地をタッチすると出発地に現在の時間が表示されると同時に、計画表作成時に選択されたパターンＡ，Ｂ，Ｃ・・・の中の体力曲線イの１つより中間点や目的地までの時間が算出されて、中間点や目的地にそれぞれ表示される。
【００２８】
その後経路の中間点に到達する毎に時間をチェックして、到達予定時間と実際の到達時間にずれが生じた場合はその都度ペンで現在位置をタッチすることにより、ペンでタッチした現在位置に現在時間が自動的に入力されると同時に、携帯端末機器９は、現在時間が入力される毎にパターンＡ，Ｂ，Ｃ・・・の体力曲線イの中からそのときの体力に合った体力曲線イを選択し、選択した体力曲線イからこれから到達する中間点及び目的地までの到達時間を予測計算して携帯端末機器９の表示部に表示する。
以下前記操作を繰返すことにより、ジョギングやマラソン、サイクリング当日の個人の体調や天候等により計画に狂いが生じても、その都度修正された到達時間が表示されるため、ジョギングやマラソン、サイクリング当日の体調や天候等に即した歩行行動の管理が容易に行えるようになる。
【００２９】
同時に現在どのような状態でどの距離をどのくらい時間をかけて走行しているかを携帯端末機器９が常に把握して歩行を管理していることから、出発地から中間点や、目的地に到着するまでに消費したカロリーをリアルタイムで計算することができ、これによって負荷と消費カロリーの関係を予め条件常数として入力しておくことにより、糖や脂肪等の消費量を個別に計算して携帯端末機器９の表示部に表示させることもできるため、走行者の体力の消耗をリアルタイムでチェックすることもできる。
【００３０】
【発明の効果】
本発明は以上詳述したように、予め入力した個人データに応じて作成した体力曲線や過去の実績データから、経路の途中に設定された中間点や目的地までの到達時間が予測できるため、登山やハイキング、ジョギング等の計画が容易に立てられるようになると共に、出発地から中間点、目的地にまで到着するまでに消費したカロリーを計算することができるため、負荷と消費カロリーの関係を予め条件常数として入力しておくことにより、糖や脂肪等の消費量を知ることもできる。
【００３１】
また表示手段に地形図と出発地から目的地までの経路、経路上に設定した複数の中間点等を表示させ、かつ入力手段より個人データと出発時間を入力することにより、個人データから作成した体力曲線に応じて経路上の中間点及び目的地までの到達時間がシミュレートできるようにしたことから、登山やハイキング等の前に目的地までの歩行行動をシミュレートすることにより、登山やハイキング等に必要な情報、例えば重装備では登りが厳しい等の情報が事前に得られると共に、シミュレートにより得られた情報を基に出発時間を決定したり、途中の休憩時間や休憩場所を決定する等、きめの細かい登山計画表の作成が可能になる。
【００３２】
さらに制御手段で作成した歩行行動計画をＰＤＡ等の携帯端末機器へダウンロードする出力手段を設けたことから、登山やハイキング、ジョギング時に歩行行動計画をダウンロードした携帯端末機器を携帯し、経路の中間点に到達する毎に時間をチェックして、到達予定時間と実際の到達時間にずれが生じた場合はその都度到達時間を修正して携帯端末機器に入力することにより、そのときの体力に合った体力曲線を自動的に選択し、これから到達する中間点及び目的地までの到達時間を予測計算して表示部に表示するため、歩行当日の体調や天候等に即した歩行行動の管理が容易に行えるようになる。
【００３３】
しかも出発地から中間点や目的地に到着するまでに消費したカロリーを計算することができることから、予めカロリー消費量の限界を設定して限界を超えた場合は警報を出すようにすれば、体力を消耗したために動けなくなったり、遭難する等の事故を未然に防止できるようになる。
【図面の簡単な説明】
【図１】本発明の実施の形態になる歩行管理システムの全体的な構成を示すブロック図である。
【図２】本発明の実施の形態になる歩行管理システムの作用を示す線図である。
【図３】本発明の実施の形態になる歩行管理システムの作用を示す線図である。
【図４】（ａ）ないし（ｃ）は本発明の実施の形態になる歩行管理システムの作用を示す線図である。
【図５】本発明の実施の形態になる歩行管理システムの作用を示す線図である。
【図６】本発明の実施の形態になる歩行管理システムの作用を示すフローチャートである。
【符号の説明】
１　制御手段
２　地形図データ
５　行動実績管理手段
６　入力手段
７　表示手段
８　出力手段
９　携帯端末機器
イ　体力曲線
【図１】
2004101181.tif 000006
【図２】
2004101181.tif 000007
【図３】
2004101181.tif 000008
【図４】
2004101181.tif 000009
【図５】
2004101181.tif 000010
【図６】
2004101181.tif 000011